(57)【要約】【課題】作業実績の入力に用いるデバイスにスマートウォッチを用い，作業実績の入力操作をシンプルにしたシステムを提供する。【解決手段】作業実績収集システム１は，作業者５が腕に付けるスマートウォッチ２と作業実績管理装置３を含む。スマートウォッチ２は，タッチパネル２３に表示する入力画面を切り替えながら，最上位の階層から順に，階層構造で規定された作業実績データの階層に対応する項目のデータを作業者５に入力させ，作業者５が入力した作業実績データをメモリに保存する作業実績取得処理Ｓ１を実行する作業実績取得部２００と，作業実績データを作業実績管理装置３へアップロードするアップロード部２０１を備える。【選択図】図１
2020194261.tif 000002
【特許請求の範囲】
【請求項１】
作業実績データの入力に用いるデバイスとなるスマートウォッチと，前記スマートウォッチが送信した作業実績データを保存する作業実績管理装置とから少なくとも構成され，前記スマートウォッチは，タッチパネルに表示する入力画面を切り替えながら，階層構造で規定された作業実績データの最上位の階層から順に，前記作業実績データの階層に対応する項目のデータを作業者に入力させ，作業者が入力した前記作業実績データをメモリに保存する処理を実行する作業実績取得部と，メモリに保存している前記作業実績データを前記作業実績管理装置へアップロードする処理を実行するアップロード部を備えていることを特徴とする作業実績収集システム。
【請求項２】
タッチパネルに表示する入力画面を切り替えながら，階層構造で規定された作業実績データの最上位の階層から順に，前記作業実績データの階層に対応する項目のデータを作業者に入力させ，作業者が入力した前記作業実績データをメモリに保存する処理を実行する作業実績取得部と，メモリに保存している前記作業実績データを所定の装置へアップロードする処理を実行するアップロード部を備えたことを特徴とするスマートウォッチ。
【請求項３】
タッチパネルに表示する入力画面を切り替えながら，階層構造で規定された作業実績データの最上位の階層から順に，前記作業実績データの階層に対応する項目のデータを作業者に入力させ，作業者が入力した前記作業実績データをメモリに保存する処理を実行する作業実績取得部と，メモリに保存している前記作業実績データを所定の装置へアップロードする処理を実行するアップロード部として，スマートウォッチを動作させるアプリケーションプログラム。
【発明の詳細な説明】
【技術分野】
【０００１】
本発明は，作業実績の入力にスマートウォッチを利用する発明である。
【背景技術】
【０００２】
工場に勤務する作業者には，作業者が行った作業内容を作業実績として残すことが義務付けられている。紙媒体である作業実績票に作業内容を記入させると作業者の負担になるため，作業実績を端末装置に入力させることが主流になっている。
【０００３】
作業実績の入力に用いる端末装置としては，作業場所に設置したパーソナルコンピュータを用いることが一般的であったが，小型かつ軽量で持ち運びに適したモバイル端末（例えば，タブレットコンピュータ）が普及したことを受けて，モバイル端末を作業実績の入力に用いるケースが増えている。
【０００４】
例えば，特許文献１で開示されている発明のモバイル端末（特許文献１では携帯端末装置）は，作業実績の入力が行えるように，作業の実施を支援する作業支援画面を表示する画面表示部と，画面表示部に表示される作業支援画面に応じた作業者の操作を受け付ける入力受付部と，入力受付部が受け付けた操作の履歴を含む作業履歴情報を生成する作業履歴生成部を少なくとも備えている。
【０００５】
モバイル端末はユーザが所持することを前提としているが，ユーザが身に着けることを前提としたウェアブル端末も開発されている。代表的なウェアブル端末であるスマートウォッチは，スマートウォッチを作業者が腕に着けても両手が自由で作業の邪魔にならず，また，スマートウォッチを身に着けることに作業者が嫌悪感をいだくこともない。
【０００６】
このことからして，スマートウォッチは作業実績の入力に適していると考えられるが，作業実績を端末装置に入力させる従来の技術は，スマートウォッチを作業実績の入力に用いることを前提としていない。モバイル端末よりスマートウォッチの操作画面は小さいので，スマートウォッチを作業実績の入力に用いる際は，作業実績の入力操作をできるだけシンプルにする工夫が必要になる。
【先行技術文献】
【特許文献】
【０００７】
【特許文献１】ＷＯ２０１７／１４９５８７号公報
【発明の概要】
【発明が解決しようとする課題】
【０００８】
そこで，本発明は，作業実績の入力に用いるデバイスにスマートウォッチを用い，作業実績の入力操作をシンプルにした作業実績収集システム，この作業実績収集システムで必要なスマートウォッチ，および，このスマートウォッチに実装するアプリケーションプログラムを提供することを目的とする。
【課題を解決するための手段】
【０００９】
上述した課題を解決する第１発明は，作業実績データの入力に用いるデバイスとなるスマートウォッチと，前記スマートウォッチが送信した作業実績データを保存する作業実績管理装置とから少なくとも構成され，前記スマートウォッチは，タッチパネルに表示する入力画面を切り替えながら，階層構造で規定された作業実績データの最上位の階層から順に，前記作業実績データの階層に対応する項目のデータを作業者に入力させ，作業者が入力した前記作業実績データをメモリに保存する処理を実行する作業実績取得部と，メモリに保存している前記作業実績データを前記作業実績管理装置へアップロードする処理を実行するアップロード部を備えていることを特徴とする作業実績収集システムである。
【００１０】
更に，第２発明は，タッチパネルに表示する入力画面を切り替えながら，階層構造で規定された作業実績データの最上位の階層から順に，前記作業実績データの階層に対応する項目のデータを作業者に入力させ，作業者が入力した前記作業実績データをメモリに保存する処理を実行する作業実績取得部と，メモリに保存している前記作業実績データを所定の装置へアップロードする処理を実行するアップロード部を備えたことを特徴とするスマートウォッチである。
【００１１】
更に，第３発明は，タッチパネルに表示する入力画面を切り替えながら，階層構造で規定された作業実績データの最上位の階層から順に，前記作業実績データの階層に対応する項目のデータを作業者に入力させ，作業者が入力した前記作業実績データをメモリに保存する処理を実行する作業実績取得部と，メモリに保存している前記作業実績データを所定の装置へアップロードする処理を実行するアップロード部として，スマートウォッチを動作させるアプリケーションプログラムである。
【発明の効果】
【００１２】
本発明では，作業実績データを階層構造で規定し，作業実績データの最上位の階層から順に，作業実績データの階層に対応する項目のデータを作業者に入力させることで，作業実績の入力操作をシンプルにしている。
【図面の簡単な説明】
【００１３】
【図１】作業実績収集システムの構成を説明する図。
【図２】スマートウォッチを説明する図。
【図３】スマートウォッチの動作を説明する図。
【図４】作業開始時の画面遷移を説明する図。
【図５】作業終了時の画面遷移を説明する図。
【発明を実施するための形態】
【００１４】
ここから，本発明に係る実施形態について記載する。本実施形態は，本発明の理解を容易にするためのものであり，本発明は，本実施形態に限定されるものではない。また，特に断りのない限り，図面は，本発明の理解を容易にするために描かれた模式的な図である。
【００１５】
図１は，本実施形態に係る作業実績収集システム１の構成を説明する図である。本実施形態に係る作業実績収集システム１は，作業者５が腕に付けるスマートウォッチ２と，製造ＷＡＮ４ｃ（Wide Area Network）とネットワーク接続している作業実績管理装置３を含む。
【００１６】
図１において，製造施設６ａには，複数の作業場所６ａ１（ここでは，a〜ｎ）が設けられ，無線アクセスポイント１０はそれぞれの作業場所６ａ１に設置されている。それぞれの無線アクセスポイント１０は，製造施設６ａ内に配置したＬＡＮ（Local Area Network）である製造施設ＬＡＮ４ａと接続している。製造施設ＬＡＮ４ａには，スマートウォッチ２が作業実績管理装置３へアップロードする作業実績データを中継するエッジゲートウェイ１１と，ウェブブラウザ１２０を利用して，品目で必要となる作業の設定や作業場所６ａ１で働く作業者５の登録・削除などのメンテナンス業務を行える生産管理端末１２が接続している。
【００１７】
製造施設ＬＡＮ４ａは，ファイヤーウォール１３とルータ１４を介して製造ＷＡＮ４ｃと接続しており，製造ＷＡＮ４ｃには，製造施設ＬＡＮ４ａに加え，管理施設６ｂ内に配置したＬＡＮである管理施設ＬＡＮ４ｂが接続している。管理施設ＬＡＮ４ｂには，作業者５が腕に付けるスマートウォッチ２を事前設定されたセキュリティポリシーに従い管理するＭＤＭ１５（Mobile Device Management）と，スマートウォッチ２がアップロードした作業実績データを保存する作業実績管理装置３が接続している。
【００１８】
図１で図示した作業実績収集システム１において，作業者５が腕に着けるスマートウォッチ２は，作業実績データの入力に用いられるデバイスで，ここから，本発明に必要なスマートウォッチ２の機能について説明する。
【００１９】
図２は，スマートウォッチ２を説明する図である。スマートウォッチ２の本体は市販品を利用できる。スマートウォッチ２は，ハードウェアとして，スマートウォッチ２を制御するプロセッサ２１，近距離無線通信に対応したワイヤレストランシーバ２２，ディスプレイデバイスとタッチスクリーンが組み合わされたタッチパネル２３，および，データの記憶に用いられるメモリ２４を備える。
【００２０】
スマートウォッチ２のメモリ２４には，スマートウォッチ２のメーカがインストールしたオペレーティングシステム２５と，汎用的なアプリケーションプログラムである汎用アプリケーション２６（例えば，電話や電卓）が記憶され，更に，作業実績に係るアプリケーションプログラムとして，本発明に必要な機能を提供する作業実績アプリケーション２０が記憶されている。
【００２１】
作業実績アプリケーション２０は，本発明に必要な機能として，タッチパネル２３に表示する入力画面を切り替えながら，階層構造で規定された作業実績データの最上位の階層から順に，作業実績データの階層に対応する項目のデータを作業者５に入力させ，作業者５が入力した作業実績データをメモリ２４に保存する処理を実行する作業実績取得部２００と，メモリ２４に保存している作業実績データを作業実績管理装置３へアップロードする処理を実行するアップロード部２０１を備える。作業実績アプリケーション２０がスマートウォッチ２で起動することで，作業実績取得部２００とアップロード部２０１がスマートウォッチ２に備えられることになる。
【００２２】
作業実績データが入力されるときのスマートウォッチ２の動作について説明する。図３は，スマートウォッチ２の動作を説明する図である。
【００２３】
スマートウォッチ２に実装された作業実績アプリケーション２０は，タッチパネル２３に表示されている作業実績アプリケーション２０のアイコン２７を作業者５が選択（例えば，タップ）することで起動する。スマートウォッチ２で起動した作業実績アプリケーション２０の作業実績取得部２００は，タッチパネル２３に表示する入力画面を切り替えながら，最上位の階層から順に，階層構造で規定された作業実績データの階層に対応する項目のデータを作業者５に入力させ，作業者５が入力した作業実績データをメモリに保存する作業実績取得処理Ｓ１を実行する。図３では，作業実績アプリケーション２０の作業実績取得部２００は作業実績取得処理Ｓ１を実行すると，作業実績取得処理Ｓ１の最初の手順または途中の手順に処理を戻す。
【００２４】
本実施形態において，作業実績データの階層構造は，最上位の階層から順に，業務コード，作業者コード，作業コード，作業時間および作業件数で，これらの入力順は，業務コード，作業者コード，作業コード，作業時間および作業件数の順になる。業務コードは品目を識別するためのデータになる。作業者コードは，作業者５を識別するデータである。作業コードは作業を識別するデータで，本実施形態において，作業コードは，作業段階を示す大分類コードおよび作業段階に含まれる工程を示す中分類コードを含む。作業時間は，作業コードに対応する作業を作業者コードで示される作業者５が行った時間で，開始時刻と終了時刻を含む。作業件数は，作業者コードで示される作業者５が作業を完了した製品の件数になる。このように，一つの作業実績データにより，作業が行われた品目，作業者５，作業者５が行った作業，作業者５が作業を行った時間および作業者５が作業を完了した製品の件数が示されることになる。
【００２５】
作業実績アプリケーション２０のアップロード部２０１は，アップロード開始を示すトリガーが発生すると，メモリ２４に保存している作業実績データを作業実績管理装置３へアップロードする作業実績送信処理Ｓ２を実行する。アップロード開始を示すトリガーは，タッチパネル２３に表示する特定のボタンの選択にすることもできるが，所定時間経過（例えば，１時間経過ごと）や所定時刻（１２時，１５時および１７時）など時間に係るトリガーにすると，作業実績データのアップロードを自動化できる。
【００２６】
本実施形態の作業実績収集システム１において，作業実績データのアップロードにエッジゲートウェイ１１を利用する。スマートウォッチ２で起動している作業実績アプリケーション２０のアップロード部２０１は，無線アクセスポイント１０を利用して，スマートウォッチ２のメモリ２４にある作業実績データをエッジゲートウェイ１１へ送信し，エッジゲートウェイ１１は，スマートウォッチ２から受信した作業実績データを一時的にストレージ１１０に蓄積し，ストレージ１１０に保存している作業実績データをまとめて作業実績管理装置３へ送信する。作業実績データのアップロードにエッジゲートウェイ１１を設けることで，スマートウォッチ２は，製造ＷＡＮ４ｃのネットワーク負荷を考慮することなく，作業実績データを作業実績管理装置３へアップロードできる。また，エッジゲートウェイ１１に，スマートウォッチ２から送信された作業実績データを所定のフォーマットに変換して作業実績管理装置３へ送信させることもできる。
【００２７】
図４は，作業開始時の画面遷移を説明する図で，そして，図５は，作業終了時の画面遷移を説明する図である。
【００２８】
まず，図４を参照しながら，作業開始時におけるスマートウォッチ２の画面遷移について説明する。作業実績取得処理において，スマートウォッチ２に実装された作業実績アプリケーション２０の作業実績取得部２００は，業務コード入力画面７ａをタッチパネル２３に表示し，作業実績データにおいて最上位の層になる業務コードを作業者５に選択させる。業務コード入力画面７ａでは，作業実績アプリケーション２０に登録された複数の業務コード７ａ１が選択可能な状態で表示されている。
【００２９】
業務コードが作業者５によって選択されると，作業実績取得部２００は，作業者コード入力画面７ｂをタッチパネル２３に表示し，作業実績データにおいて２番目の層になる作業者コードを作業者５に入力させる。本実施形態の作業者コードは，作業者コードの先頭になる１文字のアルファベットと，１文字のアルファベットに続く６文字の数字で符号化されている。作業者コード入力画面７ｂでは，選択可能になっている１文字のアルファベット７ｂ１（ここでは，３つ）と，一つ前の画面に戻すための戻るボタン７ｂ２が表示されている。
【００３０】
作業者コード入力画面７ｂにて，戻るボタン７ｂ２が選択されると，作業実績取得部２００は，タッチパネル２３に表示する画面を一つ前の画面（ここでは，業務コード入力画面７ａ）に戻す。作業者コード入力画面７ｂにて，作業者コードの先頭になるアルファベットの一つが選択されると，作業実績取得部２００は，テンキー画面７ｃをタッチパネル２３に表示し，アルファベットに続く６文字の数字を作業者５に入力させる。テンキー画面７ｃに表示されるテンキー７ｃ１はエンターキー７ｃ２を含み，エンターキー７ｃ２が選択されると，作業実績取得部２００は，作業者コード確認画面７ｄをタッチパネル２３に表示する。
【００３１】
作業者コード確認画面７ｄには，作業者５が選択したアルファベットと作業者５が入力した６文字の数字を連結した作業者コード７ｄ1が表示され，更に，一つ前の画面に戻すための戻るボタン７ｄ２と作業コードの入力を完了する完了ボタン７ｄ３が表示されている。
【００３２】
作業者コード確認画面７ｄにて，戻るボタン７ｄ２が選択されると，作業実績取得部２００は，タッチパネル２３に表示する画面を一つ前の画面（ここでは，作業者コード入力画面７ｂ）に戻す。作業者コード確認画面７ｄにて，完了ボタン７ｄ３が選択されると，作業実績取得部２００は，作業コード入力画面７ｅをタッチパネル２３に表示し，作業実績データにおいて３番目の層になる作業コードを作業者５に入力させる。
【００３３】
テンキー画面７ｃと同様な画面を用いて，作業コードそのものの値を作業者５に入力させることもできるが，ここでは，作業コードに含まれる大分類コードと中分類コードそれぞれを作業者５に選択させている。作業コード入力画面７ｅには，大分類と中分類それぞれの項目名７ｅ１が表示されており，大分類コードが入力完了していない状態で，中分類の項目名は選択できないようになっている。また，作業コード入力画面７ｅには，タッチパネル２３に表示する画面を一つ前の画面に戻すための戻るボタン７ｅ２が表示されている。
【００３４】
作業コード入力画面７ｅにて大分類の項目名が選択されると，作業実績取得部２００は，大分類コードを作業者５に入力させる大分類入力画面７ｆをタッチパネル２３に表示し，作業者５に大分類コードを入力させる。大分類入力画面７ｆでは，作業者５が入力した業務コードに対応する品目で必要な作業段階名とこれに対応する大分類コードの対７ｆ１が選択可能に表示され，更に，一つ前の画面に戻すための戻るボタン７ｆ２と，大分類コードの入力を完了する完了ボタン７ｆ３が表示されている。
【００３５】
大分類入力画面７ｆにて，戻るボタン７ｆ２が選択されると，作業実績取得部２００は，タッチパネル２３に表示する画面を一つ前の画面（ここでは，作業コード入力画面７ｅ）に戻す。大分類コードの一つが選択されてから完了ボタンが選択されると，作業実績取得部２００は，大分類入力後の作業コード入力画面７ｇをタッチパネル２３に表示し，作業者５に中分類の項目名を選択させる。
【００３６】
大分類入力後の作業コード入力画面７ｇには，大分類と中分類それぞれの項目名７ｇ１が表示されており，中分類の項目名のみが選択できるようになっている。また，大分類入力後の作業コード入力画面７ｇには，タッチパネル２３に表示する画面を一つ前の画面に戻すための戻るボタン７ｇ２が表示されている。
【００３７】
大分類入力後の作業コード入力画面７ｇにおいて，戻るボタン７ｇ２が選択されると，作業実績取得部２００は，タッチパネル２３に表示する画面を一つ前の画面（ここでは，大分類入力画面７ｆ）に戻す。大分類入力後の作業コード入力画面７ｇにて中分類の項目名が選択されると，作業実績取得部２００は，中分類コードを作業者５に入力させる中分類入力画面７ｈをタッチパネル２３に表示し，作業者５に中分類コードを入力させる。中分類入力画面７ｈでは，作業者５が入力した大分類コードに対応する作業段階に含まれる工程名とこれに対応する中分類コードの対７ｈ１が選択可能に表示され，更に，一つ前の画面に戻すための戻るボタン７ｈ２と，中分類コードの入力を完了する完了ボタン７ｈ３が表示されている。
【００３８】
中分類入力画面７ｈにて，戻るボタン７ｈ２が選択されると，作業実績取得部２００は，タッチパネル２３に表示する画面を一つ前の画面（ここでは，大分類入力後の作業コード入力画面７ｇ）に戻す。中分類入力画面７ｈにて，中分類コードの一つが選択されてから完了ボタン７ｈ３が選択されると，作業実績取得部２００は，作業コード確認画面７ｉをタッチパネル２３に表示し，作業者５に作業コードを確認させる。作業コード確認画面７ｉには，作業者５が設定した大分類コードと中分類コードに加え，一つ前の画面に戻すための戻るボタン７ｉ２と，作業コードの入力を完了する完了ボタン７ｉ３が表示されている。
【００３９】
作業コード確認画面７ｉにて，戻るボタン７ｉ２が選択されると，作業実績取得部２００は，タッチパネル２３に表示する画面を一つ前の画面（ここでは，中分類入力画面７ｈ）に戻す。作業コード確認画面７ｉにて完了ボタン７ｉ３が選択されると，作業実績取得部２００は，作業を開始する時刻である開始時刻を入力する開始時刻入力画面７ｊをタッチパネル２３に表示し，作業実績データにおいて４番目の層になる作業時間の開始時刻を作業者５に入力させる。開始時刻入力画面７ｊでは，ドラム形式で入力可能になっている時間と分７ｊ１に加え，一つ前の画面に戻すための戻るボタン７ｊ２と，開始時刻の入力を完了する完了ボタン７ｊ３が表示されている。なお，開始時刻の日付については，スマートウォッチ２が計測している時刻から自動的に取得できる。
【００４０】
開始時刻入力画面７ｊにおいて，戻るボタン７ｊ２が選択されると，作業実績取得部２００は，タッチパネル２３に表示する画面を一つ前の画面（ここでは，作業コード確認画面７ｉ）に戻す。開始時刻入力画面７ｊにおいて，開始時刻が入力されてから完了ボタン７ｊ３が選択されると，作業実績取得部２００は，作業開始前確認画面７ｋをタッチパネル２３に表示し，これまでの入力内容を作業者５に確認させる。作業開始前確認画面７ｋには，開始時刻，業務コード，作業者コードおよび作業コード（大分類コードと中分類コード）７ｋ１が表示されており，更に，一つ前の画面に戻す戻るボタン７ｋ２と確認を完了する完了ボタン７ｋ３が表示されている。
【００４１】
作業開始前確認画面７ｋにて，戻るボタン７ｋ２が選択されると，作業実績取得部２００は，タッチパネル２３に表示する画面を一つ前の画面（ここでは，開始時刻入力画面）に戻す。作業開始前確認画面７ｋにて完了ボタン７ｋ３が選択されると，作業実績取得部２００は，図５で図示した作業中画面７ｌをタッチパネル２３に表示する。
【００４２】
図５を参照しながら，作業開始後におけるスマートウォッチ２の画面遷移について説明する。作業中画面７ｌには，時計，業務コード，作業者コードおよび作業コード（大分類コードと中分類コード）７ｌ１が表示されており，更に，作業の終了を作業実績取得部２００に通知するための終了ボタン７ｌ２が表示されている。
【００４３】
作業中画面７ｌにおいて終了ボタン７ｌ２が操作されると，作業実績取得部２００は，作業を終了する時刻である終了時刻を入力する終了時刻入力画面７ｍをタッチパネル２３に表示し，作業実績データにおいて４番目の層になる作業時間の終了時刻を作業者５に入力させる。終了時刻入力画面７ｍでは，ドラム形式で入力可能になっている時間と分７ｍ１に加え，一つ前の画面に戻すための戻るボタン７ｍ２と，終了時刻の入力を完了する完了ボタン７ｍ３が表示されている。
【００４４】
終了時刻入力画面７ｍにおいて，戻るボタン７ｍ２が選択されると，作業実績取得部２００は，タッチパネル２３に表示する画面を一つ前の画面（ここでは，作業中画面７ｌ）に戻す。終了時刻入力画面７ｍにおいて，終了時刻が入力されてから完了ボタン７ｍ３が選択されると，作業実績取得部２００は，作業件数を入力する作業件数入力画面７ｎをタッチパネル２３に表示し，作業実績データにおいて５番目の層になる作業件数を作業者５に入力させる。作業件数入力画面７ｎには，作業件数の項目名７ｎ１が選択可能に表示されており，更に，一つ前の画面に戻すための戻るボタン７ｎ２が表示されている。
【００４５】
作業件数入力画面７ｎにて，戻るボタン７ｎ２が選択されると，作業実績取得部２００は，タッチパネル２３に表示する画面を一つ前の画面（ここでは，終了時刻入力画面７ｍ）に戻す。作業件数入力画面７ｎにて，作業件数の項目名７ｎ１が選択されると，作業実績取得部２００は，テンキー画面７ｏをタッチパネル２３に表示し，作業件数を作業者５に入力させる。テンキー画面７ｏに表示するテンキー７ｏ１はエンターキー７ｏ２を含み，エンターキー７ｏ２が選択されると，作業実績取得部２００は，作業終了時確認画面７ｐをタッチパネル２３に表示する。作業終了時確認画面７ｐには，終了時刻と作業件数７ｐ１が表示され，更に，一つ前の画面に戻すための戻る７ｐ２と作業実績データを登録する登録ボタン７ｐ３が表示されている。
【００４６】
作業終了時確認画面７ｐにて，戻るボタン７ｐ２が選択されると，作業実績取得部２００は，タッチパネル２３に表示する画面を一つ前の画面（ここでは，作業件数入力画面７ｎ）に戻す。作業終了時確認画面７ｐにて登録ボタン７ｐ３が選択されると，作業実績取得部２００は，作業実績データをメモリ２４に記憶した後，作業実績データの登録が済んだことを示す登録完了画面７ｑをタッチパネル２３に表示する。
【００４７】
このように，作業者５が入力する作業実績データを階層構造で定義し，最上位の階層から順に，作業実績データの階層に対応する項目のデータを入力させるように構成することで，作業実績データの入力操作はシンプルになる。特に，製造施設６ａでは，作業場所６ａ１ごとに，作業場所６ａ１で行う作業段階が決まっているため，作業場所６ａ１を作業コードの大分類に対応させ，作業場所６ａ１で行われる工程を作業コードの中分類に対応させると，作業者５は，作業者５が作業を行う作業場所６ａ１などを参照して，作業コードを入力できるため，作業コードの入力ミスを減らすことができる。また，スマートウォッチ２の画面遷移では，一つ前の画面に戻れるようにすることで，作業実績データの入力が作業実績データの階層順以外で入力できないようにしている。
【００４８】
なお，作業者５が作業場所６ａ１を移動しない限り，作業者５が作業を行う作業段階は変更にならないため，作業実績取得部２００は，作業実績取得処理ｓ１が終了すると，登録完了画面７ｑを一定時間表示した後，業務コード，作業者コードおよび大分類コードを保持した状態で，中分類入力画面７ｈに手順を戻すことが望ましい。中分類入力画面７ｈに手順を戻すと，業務コード，作業者コードおよび大分類コードの再入力を省くことができる。
【００４９】
最後に，作業実績管理装置３について説明する。作業実績管理装置３は，ネットワーク通信機能を有するサーバで実現される装置で大容量のストレージ３０と接続している。作業実績管理装置３は，エッジゲートウェイ１１を経由して，スマートウォッチ２が送信した作業実績データをストレージ３０に保存する。スマートウォッチ２が送信した作業実績データをストレージ３０に保存する際，受信時刻のタイムスタンプを作業実績データに付加することが望ましい。
【００５０】
上述したように作業実績データは階層構造で定義されているため，作業時間や作業件数の集計を作業実績データに含まれる所定の階層で集計を行え，製造に係る能力を管理側で分かり易くなる。例えば，作業者コードごとに，作業時間や作業件数を集計することで，管理者側で作業者５ごとの能力を把握できる。また，作業コードに含まれる中分類コードごとに，作業時間や作業件数を集計することで，製造施設６ａにおける工程ごとの能力を把握できる。
【符号の説明】
【００５１】
１    作業実績収集システム
２    スマートウォッチ
２０  作業実績アプリケーション
２００  作業実績取得部
２０１  アップロード部
３    作業実績管理装置
１０  無線アクセスポイント
１１  エッジゲートウェイ
５    作業者
６ａ  製造施設
６ａ１  作業場所
６ｂ  管理施設
７ａ  業務コード入力画面
７ｂ  作業者コード入力画面
７ｃ  テンキー画面
７ｄ  作業者コード確認画面
７ｅ  作業コード入力画面
７ｆ  大分類入力画面
７ｇ  大分類入力後の作業コード入力画面
７ｈ  中分類入力画面
７ｉ  作業コード確認画面
７ｊ  開始時刻入力画面
７ｋ  作業開始前確認画面
７ｌ  作業中画面
７ｍ  終了時刻入力画面
７ｎ  作業件数入力画面
７ｏ  テンキー画面
７ｐ  作業終了時確認画面
７ｑ  登録完了画面
【図１】
2020194261.tif 000003
【図２】
2020194261.tif 000004
【図３】
2020194261.tif 000005
【図４】
2020194261.tif 000006
【図５】
2020194261.tif 000007